(57)【要約】【課題】耐衝撃性に優れ且つ小型化を図ることができるレンズ駆動装置及びカメラ付き携帯電話を提供する。【解決手段】本発明のレンズ駆動装置１において、筒状ヨーク１１の一端に前側フレーム１５が設けてあり、筒状ヨーク１１の他端に後側フレーム１７が設けてあり、スプリング１３、１４は一端をヨーク１１に他端をレンズ支持体５に固定してヨーク１１に対してレンズ支持体５をレンズの光軸方向に移動可能に支持しており、前側フレーム１５はヨーク１１の一端にのみ固定してあり且つ後側フレーム１７はヨーク１１の他端にのみ固定し且つヨーク１１の外周面は前側フレーム１５と後側フレーム１７との間において周方向全体に亘って露出しており、ヨーク１１がレンズ駆動装置の骨格に兼ねている。【選択図】図２
2008181054.tif 000002
【特許請求の範囲】
【請求項１】
レンズを保持する筒状のレンズ支持体と、レンズ支持体の外周に固定したコイル体と、コイル体の外周に配置した筒状のヨークと、ヨークの内周に固定してコイル体との間に隙間をあけて対面位置したマグネット部と、筒状ヨークの一端に設けた前側フレームと、筒状ヨークの他端に設けた樹脂製の後側フレームと、一端をヨークに他端をレンズ支持体に固定してヨークに対してレンズ支持体をレンズの光軸方向に移動可能に支持するスプリングとを備え、コイル体に給電して生じる電磁力によりレンズ支持体をレンズの光軸方向に駆動するレンズ駆動装置であって、
前側フレームはヨークの一端にのみ固定してあり且つ後側フレームはヨークの他端にのみ固定してあり、ヨークの外周面は前側フレームと後側フレームとの間において周方向全体に亘って露出していることを特徴とするレンズ駆動装置。
【請求項２】
ヨークと前側フレームとの間に前側スプリング及び前側スペーサを有し、ヨークと後側フレームとの間に後側スプリング及び後側スペーサを有し、ヨークは一端から突設した前側係止部と他端から突設した後側係止部とを有し、前側係止部に前側スペーサ、前側スプリング及び前側フレームを係止し、後側係止部に後側スペーサ及び後側フレームを係止していることを特徴とする請求項１に記載のレンズ駆動装置。
【請求項３】
ヨークは一枚の金属製板材を周方向に折り曲げて角筒状に形成してあり、角筒の角部にマグネット部を配置してあり、ヨークを形成する板材は周方向の両端が角部に位置していることを特徴とする請求項１に記載のレンズ駆動装置。
【請求項４】
ヨークは一枚の金属製板材を周方向に折り曲げて角筒状に形成してあり、角筒の角部にマグネット部を配置してあり、ヨークを形成する板材は周方向の両端が側面に位置して両端を接合していることを特徴とする請求項１に記載のレンズ駆動装置。
【請求項５】
マグネット部は径方向にＮ極とＳ極とに分極してあり且つレンズの光軸方向に異なる磁極を備え、コイル体はマグネット部の光軸方向の磁極に対応して複数個設けてあり、隣り合うコイル体には互いに逆方向の電流を流すことを特徴とする請求項１に記載のレンズ駆動装置。
【請求項６】
前側スペーサは環状の気密材であり、前側スペーサの外周側端は前側フレームとヨークとの間で気密に保持してあり、前側スペーサの内周側端がレンズ支持体又はコイルの外周面に近接して位置しており、基板に設けた画像センサと画像センサを保護するセンサ用フィルタを取付けたセンサホルダに装着したときに、センサ用フィルタ、センサホルダ、後側フレーム、レンズ、レンズ支持体、ヨーク及び前側スペーサとで密閉性の高い緩衝空間を形成することを特徴とする請求項２記載のレンズ駆動装置。
【請求項７】
後側スペーサとヨークとの間に環状の気密材からなる気密スペーサを有し、気密スペーサの外周側端は後側スペーサとヨークとの間で気密に保持してあり、気密スペーサの内周側端がレンズ支持体又はコイルの外周面に近接して位置しており、画像センサと画像センサを保護するセンサ用フィルタを取付けたセンサホルダに装着したときに、センサ用フィルタ、センサホルダ、レンズ、レンズ支持体、後側フレーム、後側スペーサ及び気密スペーサとで密閉性の高い緩衝空間を形成することを特徴とする請求項２記載のレンズ駆動装置。
【請求項８】
前側フレームには内周を覆うレンズ用フィルタが取付けてあり、前側スペーサは環状の機密材であり、前側スペーサの外周側端は前側フレームとヨークとの間で気密に保持してあり、前側スペーサの内周側端がレンズ支持体又はコイルの外周面に近接して位置しており、レンズ用フィルタ、前側フレーム、前側スペーサ、レンズ、レンズ支持体及び前側スペーサとで密閉性の高い緩衝空間を形成することを特徴とする請求項２記載のレンズ駆動装置。
【請求項９】
請求項１〜８のいずれか一項に記載のレンズ駆動装置を、画像センサを備える基板に搭載したことを特徴とするカメラ付き携帯電話。
【発明の詳細な説明】
【技術分野】
【０００１】
本発明は、光軸方向にレンズを駆動するレンズ駆動装置及びそのレンズ駆動装置を搭載したカメラ付き携帯電話に関する。
【背景技術】
【０００２】
特許文献１には、樹脂製の前側フレームと、樹脂製の後側フレームとを接合して筐体を形成し、筐体内にヨーク、マグネット、コイル体、レンズ支持体及びスプリングを配置することが開示されている。この特許文献１では前側フレームと後側フレームとをヨークの外周で接合して樹脂製の筐体を形成しその樹脂製の筐体内にヨークを納めている。
【０００３】
【特許文献１】特開２００６−３３０２２７号公報
【発明の開示】
【発明が解決しようとする課題】
【０００４】
しかし、筐体を形成している前側フレーム及び後側フレームは樹脂製である為、落下等の外部からの衝撃に対して変形や損傷が生じやすく、筐体に変形や損傷が生じるとスプリングやヨークがずれたりゆがんだりして、筐体内に収納している部品の機能を損なうという問題がある。
【０００５】
また、前側フレームと後側フレームとをヨークの外周で接合しているので、所定の外形寸法を必要とし、小型化に限界があった。
【０００６】
そこで、本発明は、耐衝撃性に優れ且つ小型化を図ることができるレンズ駆動装置の提供を目的とする。
【課題を解決するための手段】
【０００７】
請求項１に記載の発明は、レンズを保持する筒状のレンズ支持体と、レンズ支持体の外周に固定したコイル体と、コイル体の外周に配置した筒状のヨークと、ヨークの内周に固定してコイル体との間に隙間をあけて対面位置したマグネット部と、筒状ヨークの一端に設けた前側フレームと、筒状ヨークの他端に設けた樹脂製の後側フレームと、一端をヨークに他端をレンズ支持体に固定してヨークに対してレンズ支持体をレンズの光軸方向に移動可能に支持するスプリングとを備え、コイル体に給電して生じる電磁力によりレンズ支持体をレンズの光軸方向に駆動するレンズ駆動装置であって、前側フレームはヨークの一端にのみ固定してあり且つ後側フレームはヨークの他端にのみ固定してあり、ヨークの外周面は前側フレームと後側フレームとの間において周方向全体に亘って露出していることを特徴とする。
【０００８】
請求項２に記載の発明は、請求項１に記載のレンズ駆動装置において、ヨークと前側フレームとの間に前側スプリング及び前側スペーサを有し、ヨークと後側フレームとの間に後側スプリング及び後側スペーサを有し、ヨークは一端から突設した前側係止部と他端から突設した後側係止部とを有し、前側係止部に前側スペーサ、前側スプリング及び前側フレームを係止し、後側係止部に後側スペーサ及び後側フレームを係止していることを特徴とする。
【０００９】
請求項３に記載の発明は、請求項１に記載の発明において、ヨークは一枚の金属製板材を周方向に折り曲げて角筒状に形成してあり、角筒の角部にマグネット部を配置してあり、ヨークを形成する板材は周方向の両端が角部に位置していることを特徴とする。
【００１０】
請求項４に記載の発明は、請求項１に記載の発明において、ヨークは一枚の金属製板材を周方向に折り曲げて角筒状に形成してあり、角筒の角部にマグネット部を配置してあり、ヨークを形成する板材は周方向の両端が側面に位置して両端を接合していることを特徴とする。
【００１１】
請求項５に記載の発明は、請求項１に記載の発明において、マグネット部は径方向にＮ極とＳ極とに分極してあり且つレンズの光軸方向に異なる磁極を備え、コイル体はマグネット部の光軸方向の磁極に対応して複数個設けてあり、隣り合うコイル体には互いに逆方向の電流を流すことを特徴とする。
【００１２】
請求項６に記載の発明は、請求項２に記載の発明において、前側スペーサは環状の気密材であり、前側スペーサの外周側端は前側フレームとヨークとの間で気密に保持してあり、前側スペーサの内周側端がレンズ支持体又はコイルの外周面に近接して位置しており、基板に設けた画像センサと画像センサを保護するセンサ用フィルタを取付けたセンサホルダに装着した時に、センサ用フィルタ、センサホルダ、後側フレーム、レンズ、レンズ支持体、ヨーク及び前側スペーサとで密閉性の高い緩衝空間を形成することを特徴とする。
【００１３】
請求項７に記載の発明は、請求項２に記載の発明において、後側スペーサとヨークとの間に環状の気密材からなる気密スペーサを有し、気密スペーサの外周側端は後側スペーサとヨークとの間で気密に保持してあり、気密スペーサの内周側端がレンズ支持体又はコイルの外周面に近接して位置しており、画像センサと画像センサを保護するセンサ用フィルタを取付けたセンサホルダに装着したときに、センサ用フィルタ、センサホルダ、レンズ、レンズ支持体、後側フレーム、後側スペーサ及び気密スペーサとで密閉性の高い緩衝空間を形成することを特徴とする。
【００１４】
請求項８に記載の発明は、請求項２に記載の発明において、前側フレームには内周を覆うレンズ用フィルタが取付けてあり、前側スペーサは環状の機密材であり、前側スペーサの外周側端は前側フレームとヨークとの間で気密に保持してあり、前側スペーサの内周側端がレンズ支持体又はコイルの外周面に近接して位置しており、レンズ用フィルタ、前側フレーム、前側スペーサ、レンズ、レンズ支持体及び前側スペーサとで密閉性の高い緩衝空間を形成することを特徴とする。
【００１５】
請求項９に記載の発明は、請求項１〜８のいずれか一項に記載のレンズ駆動装置を、画像センサを備える基板に搭載したことを特徴とするカメラ付き携帯電話。
【発明の効果】
【００１６】
請求項１に記載の発明によれば、金属製であるヨークをレンズ駆動装置の骨格として且つヨークの外周面を露出しているので、落下等の衝撃により受ける外力を金属製のヨークで受けることができ、耐衝撃性に優れる。
【００１７】
前側フレームと後側フレームとは各々ヨークの端面にのみ固定してあり、従来技術のようなヨークの外周に接合部を設けないで済むので、その分装置の外径を小さくすることができる。
【００１８】
請求項２に記載の発明によれば、請求項１に記載の発明と同様の作用効果を奏すると共に、ヨークに設けた前側係止部及び後側係止部にスプリングやスペーサを係止するので、係止部で各部品の位置決めや組付けができ組立て易い。
【００１９】
請求項３に記載の発明によれば、請求項１に記載の発明と同様の作用効果を奏すると共に、ヨークは一枚板を折り曲げにより筒状に形成しているので、製造し易い。また、一枚板の合わせ目（周方向の両端）はマグネット部が配置されている位置にあるので、マグネット部の磁力によりヨークの合わせ目を保持できる。また、一枚板の合わせ目からのゴミや不要な光の侵入を防ぐことができる。
【００２０】
また、角筒状ヨークの角部にマグネット部を配置することにより、円筒形状のレンズ支持体をヨークの内周側に配置した場合に、角部のデットスペースを利用することができ、コンパクトな構成とすることができる。
【００２１】
請求項４に記載の発明によれば、請求項１に記載の発明と同様の作用効果を奏すると共に、一枚板の合わせ目を角筒の側面に配置した場合には、マグネットの無い部分で接合する事が可能なので、プレスやかしめ等により接合する時に、ヨークが変形して薄肉化しても磁力の減少を防ぐことができる。
【００２２】
請求項５に記載の発明によれば、請求項１に記載の発明と同様の作用効果を奏すると共に、コイル体を光軸方向（前後方向）に複数設けて且つマグネット部も異なる磁極を光軸方向に配置することで、実質的に複数のマグネット及びコイルで生じる合力を作用できるので、コンパクトな構成で高い駆動力を得ることができる。
【００２３】
請求項６〜８のいずれか一項に記載の発明によれば、請求項２に記載の発明と同様の作用効果を奏すると共に、レンズ支持体の移動方向における一側（請求項６では後側とレンズ支持体の周囲、請求項７ではレンズ支持体の後側、請求項８ではレンズ支持体の前側）に密閉性の高い緩衝空間を形成しているので、落下等による衝撃が作用した場合には、緩衝空間のダンパ作用によりレンズ支持体の過剰な移動を抑制できる。また、レンズ支持体が移動を停止した場合にもスプリングによる振動を抑制してばね振動の収束時間を短縮することができる。また、外部からのゴミや不要な光の進入経路を狭くすることができる。
【００２４】
請求項９に記載の発明によれば、請求項１〜８のいずれか一項に記載の作用効果を奏するカメラ付き携帯電話を提供できる。
【発明を実施するための最良の形態】
【００２５】
以下に、添付図面を参照して本発明の実施の形態を説明するが、まず、図１〜図３を参照して本発明の第１実施の形態を説明する。図１は第１実施の形態に係るレンズ駆動装置を基板に取付けた状態の縦断面図であり、図２は第１実施の形態に係るレンズ駆動装置の分解斜視図であり、図３は第１実施の形態に係るレンズ駆動装置の作用を説明する為、図１に示すＡ部を拡大して示す断面図である。尚、図２では図１に示すレンズ３を省略して示している。
【００２６】
第１本実施の形態にかかるレンズ駆動装置１は、携帯電話に組み込まれるオートフォーカス小型カメラのレンズ駆動装置である。
【００２７】
このレンズ駆動装置１には、レンズ３（図１参照）を保持するレンズ支持体５と、コイル体７ａ、７ｂと、２つのマグネット９ａ、９ｂから構成された４つのマグネット部９と、ヨーク１１と、前側（受光側）スプリング１３と、後側（結像側）スプリング１４と、前側スペーサ２０と、後側スペーサ２１とが設けられている。ヨーク１１の前側端には樹脂製の前側フレーム１５が設けてあり、後側端には樹脂製の後側フレーム（ベース）１７が設けてある。
【００２８】
このレンズ駆動装置１は、図１に示すように、画像センサ２７を搭載した基板２９に取付けるものであり、後側フレーム１７を基板２９に固定したセンサホルダ３１に固定して基板２９に取付けている。
【００２９】
レンズ支持体５は円筒形状を成し、円筒の内周面にレンズ３を保持しており、外周面にコイル体７ａ、７ｂが固定されている。
【００３０】
ヨーク１１は、図２に示すように、四角筒状を成しており、前側端には前方に向けて突設した前側係止部１１ａが複数形成されており、後側端には後方に向けて突設した後側係止部１１ｂが複数形成されている。前側係止部１１ａには前側フレーム１５が係止されており、後側係止部１１ｂには後側フレーム１７が係止されている。ヨーク１１は成形型により四角筒形状に形成されても良いし、一枚板を４つの角で折り曲げて合わせ目を接合して形成しても良い。
【００３１】
前側係止部１１ａには前側フレーム１５の係止部１５ｅの他に、前側スプリング１３の被係止部１３ｅ及び前側スペーサ２０の被係止部２０ｅが係止されている。後側係止部１１ｂには、後側フレームの係止部１７ｅの他に後側スペーサ２１の係止部２１ｅが係止されている。
【００３２】
ヨーク１１の内周面には、各角部１２にマグネット部９が固定してある。各マグネット部９は各々、２つのマグネット９ａ、９ｂとから構成されており、前側マグネット９ａと後側マグネット９ｂとを光軸方向に隣り合わせに固定している。各マグネット９ａ、９ｂは、内周側面を円弧面状に形成してあり外周側面がヨーク１１の角部形状に沿った角面になっており、ヨーク１１の角部１２に近いほどマグネット９ａ、９ｂの径方向の厚みを厚くしている。
【００３３】
ヨーク１１は外周面の全体を露出して、ヨーク１１がレンズ駆動装置１の筐体を兼ね且つレンズ駆動装置１の骨格を成している。尚、ヨーク１１は磁性を有する金属製である。
【００３４】
前側マグネット９ａと後側マグネット９ｂは、レンズ支持体の径方向外方側と内方側とで、各々異なる磁極に着磁しており、例えば、図３に示すように、前側マグネット９ａは内周側をＳ極、外周側をＮ極とし、後側マグネット９ｂは内周側をＮ極、外周側をＳ極に着磁してある。
【００３５】
コイル体７ａ、７ｂはレンズ支持体５の外周面に固定してあり、レンズ支持体５と共に移動するようになっている。
【００３６】
２つのコイル体７ａ、７ｂは前側コイル体７ａと後側コイル体７ｂとであり、レンズ３の光軸方向に並んで配置してある。前側コイル体７ａと、後側コイル体７ｂとは、各々コイル線の巻線方向を同方向にしてあり、２つのコイル体７ａ、７ｂに反対方向に電流が流れるようにコイルの配線を直列に接続している。前側コイル体７ａと後側コイル体７ｂとの間にはコイル用スペーサ１９が配置されており、２つのコイル体７ａ、７ｂ間に間隔を設けてある。
【００３７】
レンズ支持体５の前側端には前側スプリング１３が取付けられており、後側端には、後側スプリング１４が取付けられており、ヨーク１１に対してレンズ支持体５を前後（光軸方向）に移動可能に保持している。
【００３８】
前側スプリング１３及び後側スプリング１４は環状の板ばねであり（図２参照）、図１に示すように、前側スプリング１３の内周側端部１３ａはレンズ支持体５に固定されており、外周側端部１３ｂはヨーク１１と前側フレーム１５との間（本実施の形態では、前側スペーサ２２と前側フレーム１５の間）に挟持されて固定してある。後側スプリング１４の内周側端部１４ａはレンズ支持体５に固定されており、外周側端部１４ｂは前側から絶縁用の後側スペーサ２１で押えてベース１７に固定されている。この後側スペーサ２１は後側スプリング１４とヨーク１１との間の絶縁を図っている。
【００３９】
後側スプリング１４は全体として環状の板ばねであるが、本実施の形態では、左右に分割した一方側部３０と他方側部３２とから構成されている。後側スプリング１４を構成する一方側部３０には端子３３が形成されており、他方側部３２には端子３５が形成されて各端子３３、３５が電源供給端子（図示せず）に接続されるようになっている。尚、一方側部３０はコイル体７ａに、他方側端３２はコイル体７ｂにハンダ付け等により電気的に接続されており、後側スプリング１４から各コイル体７ａ、７ｂに順次通電するようになっている。
【００４０】
これらの前側スプリング１３と後側スプリング１４とは、組立て前の自然状態（フレーム１５を組付ける前の状態）において平坦であるが（図２参照）、少なくとも前側スプリング１３は、組付け後には図１に示すように、内周側部１３ａが外周側部１３ｂよりも前方に位置するように弾性変形した状態で取り付けてある。これにより、ばねの復帰力（付勢力）により内周側部１３ａがレンズ支持体５をベース１７側に向けた付勢力で常時付勢する。
【００４１】
前側スペーサ２０は環状の気密材であり、前側スペーサ２０の外周側端２０ａは前側フレーム１５とヨーク１１との間（本実施の形態では、前側スプリング１３とヨーク１１の間）で気密に保持してあり、前側スペーサ２０の内周側端２０ｂがマグネット部９よりも内周側に位置し且つレンズ支持体５の外周面に近接して位置しており、内周側端とレンズ支持体５との間の隙間は例えば０．１ｍｍ程度である。このような前側スペーサ２０を設けることにより、画像センサ２７と画像センサ２７を保護するセンサ用フィルタ３０を設けたセンサホルダ３１に装着した時に、センサ用フィルタ３０、センサホルダ３１、後側フレーム１７、後側スペーサ２１、レンズ３、レンズ支持体５、ヨーク１１及び前側スペーサ２０とで囲まれる空間、即ち、レンズ支持体５の後側とレンズ支持体５の外周に密閉性の高い緩衝空間３４を形成する。
【００４２】
次に、本実施の形態に係るレンズ駆動装置１の作用及び効果について説明する。図３に示すように、マグネット部９では、光軸方向に沿って設けたマグネット９ａ、９ｂにおいて、コイル体７ａ、７ｂに対面する側では、Ｎ極からＳ極に向かう磁力線Ｔによって磁界が生じているので、前側マグネット９ａのＳ極に対面する前側コイル体７ａと、後側マグネット９ｂのＮ極に対面する後側コイル体７ｂとに各々異なる方向の電流が流れると、レンズ３の光軸Ｘ方向（図１参照）に対して同方向の電磁力（推力）が作用し、複数の推力でレンズ支持体５を一方向に駆動する。そして、レンズ支持体５の駆動力と前側スプリング１３及び後側スプリング１４との付勢力とが釣り合ったところでレンズ支持体５が停止する。
【００４３】
本実施の形態では、金属製であるヨーク１１をレンズ駆動装置１の骨格としてあり且つ筐体として外周を露出して配置しているので、落下等による衝撃（外力）は金属製のヨーク１１で受けることができ、耐衝撃性に優れる。
【００４４】
前側フレーム１５と後側フレーム１７とはヨーク１１の外周側で接続されておらず、ヨーク１１の外側に接続部を設けないで済むので、レンズ駆動装置１の外径を小さくすることができる。
【００４５】
ヨーク１１に設けた前側係止部１１ａには前側フレーム１５の他に、前側スプリング１３、前側スペーサ２０を係止するので、前側係止部１１ａでこれらの部品の位置決めと取付けができ組立て易い。同様にヨーク１１に設けた後側係止部１１ｂには後側フレーム１７の他に後側スペーサ２１を係止するので、後側係止部１１ｂでこれらの部品の位置決めと取付けでき組立て易い。
【００４６】
ヨーク１１はシンプルな筒状に形成しているので、製造が容易である。角筒状ヨーク１１の角部にマグネット部９を配置することにより、円筒形状のレンズ支持体５をヨーク１１の内周側に配置した場合に、ヨーク１１の角部１２のデットスペースを利用することができ、コンパクトな構成とすることができる。
【００４７】
ヨーク１１はマグネット部９の外周側のみに配置してあるから、従来のヨークを断面コ字状に形成してマグネット部の内周と外周との両方に配置した場合に比較して簡易な構造にできると共に、径方向における寸法を小さくでき、レンズ駆動装置の小型化を図ることができる。
【００４８】
ヨーク１１をマグネット部９の外周側にのみ配置しているから、一つのコイル体７ａ、７ｂに作用する磁界強度は、マグネット部９をヨークで挟む（囲む）場合に比較して小さくなるが、複数のコイル体７ａ、７ｂに作用する合力によりレンズ支持体５を駆動するので、十分な推力を得ることができる。
【００４９】
レンズ支持体５の移動方向における一側に密閉性の高い緩衝空間３４を形成しているので、落下等による衝撃が作用した場合には、緩衝空間３４の空気のダンパ作用によりレンズ支持体５の過剰な移動を抑制できる。また、レンズ支持体５が移動を停止した場合にもスプリング１３、１４による振動を抑制して振動の収束時間の短縮を図ることができる。
【００５０】
マグネット部９を角筒状ヨーク１１の角部１２に配置することにより、角筒の内側側面１０にはマグネット９ａ、９ｂを配置しないで済み、ヨーク１１の内側側面１０とレンズ支持体５との間の寸法を小さくできる。また、角部１２におけるマグネット９ａ、９ｂの厚みを厚くすることができ、角部１２におけるマグネットの磁界強度を高めることができる。
【００５１】
以下に本発明の他の実施の形態を説明するが、以下に説明する実施の形態において、上述した第１実施の形態と同一の作用効果を奏する部分には同一の符号を付することによりその部分の説明を省略し、以下の説明では第１実施の形態と主に異なる点について説明する。
【００５２】
図４に本発明の第２実施の形態を説明する。第２実施の形態に係るレンズ駆動装置１では、後側スペーサ２１とヨーク１１との間に、前側スペーサ２０と同様に環状の気密材でできている気密スペーサ２１ａを設けている。この気密スペーサ２１ａは、外周側端をヨーク１１と後側スペーサ２１とで挟んで気密に保持してあり、内周側端がマグネット部９よりも内周側に位置し且つレンズ支持体５の外周に近接配置して、画像センサ２７と画像センサ２７を保護するセンサ用フィルタ３０を設けたセンサホルダ３１に装着した時に、センサ用フィルタ３０、センサホルダ３１、後側フレーム１７、後側スペーサ２１、気密スペーサ２１ａ、レンズ支持体５及びレンズ３とで密閉性の高い緩衝空間３４を形成する。尚、気密スペーサ２１ａは後側スペーサ２１と一体にしても良い。
【００５３】
この第２実施の形態によれば、第１実施の形態と同様に、レンズ支持体５の後側に密閉性の高い緩衝空間３４を形成しているので、落下等による衝撃が作用した場合には、緩衝空間３４の空気のダンパ作用によりレンズ支持体５の過剰な移動を抑制できる。また、レンズ支持体５が移動を停止した場合にもスプリング１３、１４による振動を抑制することができる。また、外部からのゴミや不要な光の進入経路を狭くすることができる。
【００５４】
図５に本発明の第３実施の形態を示す。この第３実施の形態では、第１実施の形態と同様にレンズ３の後側に緩衝空間３４を形成すると共に、前側フレーム１５にレンズ用フィルタ３６を気密に設けて、レンズ用フィルタ３６、前側フレーム１５、前側スペーサ２０、レンズ支持体５及びレンズ３で囲まれるレンズの前側の空間に緩衝空間３４を設けている。
【００５５】
この第３実施の形態によれば、レンズ支持体５の前後に緩衝空間３４を各々設けているので、更に、空気ダンパ効果を高め、衝撃や振動を低減することができる。
【００５６】
本発明は、上述した実施の形態に限らず、本発明の要旨を逸脱しない範囲で種々変形可能である。例えば、図６に示すように、ヨーク１１は一枚の金属製板を折り曲げて、角筒の角部に周方向における板の端１１ｃ、１１ｄを配置し、これらの端１１ｃ、１１ｄを接続しない構成とし、角部に配置したマグネット部９の磁力により端部１１ｃ、１１ｄを保持するものであってもよい。
【００５７】
また、ヨーク１１を一枚板で折り曲げて筒状に形成する場合、周方向の端１１ｃ、１１ｄをプレスやかしめにより接合したり、図７に示すように、互いに雄雌の嵌め合い係合１１ｇ、１１ｆにより係止するものであっても良い。尚、係合１１ｇ、１１ｆは、角筒の側面に設けずに、角筒の角部に設けても良い。
【図面の簡単な説明】
【００５８】
【図１】第１実施の形態に係るレンズ駆動装置を基板に取付けた状態を示す縦断面図である。
【図２】第１実施の形態に係るレンズ駆動装置の分解斜視図である。
【図３】第２実施の形態に係るレンズ駆動装置の作用を説明する為、図１に示すＡ部を拡大して示す断面図である。
【図４】第２実施の形態にかかるレンズ駆動装置を基板に取付けた状態を示す縦断面図である。
【図５】第３実施の形態にかかるレンズ駆動装置を基板に取付けた状態を示す縦断面図である。
【図６】ヨークの変形例を示す斜視図である。
【図７】ヨークの変形例を示す斜視図である。
【００５９】
１      レンズ駆動装置
３      レンズ
５      レンズ支持体
７ａ    前側コイル体
７ｂ    後側コイル体
９      マグネット部
９ａ    前側マグネット
９ｂ    後側マグネット
１１    ヨーク
１１ａ  ヨークの前側係止部
１１ｂ  ヨークの後側係止部
１３ａ  前側スプリング
１３ｂ  後側スプリング
２０    前側スペーサ
２１    後側スペーサ
２１ａ  気密スペーサ
【図１】
2008181054.tif 000003
【図２】
2008181054.tif 000004
【図３】
2008181054.tif 000005
【図４】
2008181054.tif 000006
【図５】
2008181054.tif 000007
【図６】
2008181054.tif 000008
【図７】
2008181054.tif 000009